(57)【要約】【課題】電線束の外周部をハーフラップ巻きする電線結束用テープの内側で電線束に生じた結露や外部から一時侵入する水が織布製基材テープを透過して外部へ容易に排出させることができ、かつ電線束の曲げ個所での被覆電線の露出を防止することができる電線結束用テープおよびワイヤハーネスを提供すること。【解決手段】電線結束用テープ１１は、電線束２の外周部をハーフラップ巻きする織布製基材テープ１２と、織布製基材テープ１２の長手方向に延設され、電線束２に密着する側の面部と反対側の面部側が窪むとともに反対の面部側が突出する断面Ｖ字形状の折り目部１３と、折り目部１３の一面側の窪み面に薄膜状に設けられ、断面Ｖ字形状を保持するエラストマーからなる形状保持層１５と、織布製基材テープ１２の電線束２に密着する側の面部に設けられた粘着剤層１４と、を有する。【選択図】図２
2017168199.tif 000002
【特許請求の範囲】
【請求項１】
電線束の外周部をハーフラップ巻きする織布製基材テープと、
前記織布製基材テープの長手方向に延設され、前記電線束に密着する側の面部と反対側の面部側が窪むとともに反対の面部側が突出する断面Ｖ字形状の折り目部と、
前記折り目部の前記一面側の窪み面に薄膜状に設けられ、前記断面Ｖ字形状を保持するエラストマーからなる形状保持層と、
前記織布製基材テープの前記電線束に密着する側の面部に設けられた粘着剤層と、を有する、ことを特徴とする電線結束用テープ。
【請求項２】
電線束の外周部をハーフラップ巻きする織布製基材テープと、
前記織布製基材テープの長手方向に延設され、前記電線束に密着する側の面部が窪むとともに反対の面部側が突出する断面Ｖ字形状の折り目部と、
前記折り目部の前記一面側の窪み面に薄膜状に設けられ、前記断面Ｖ字形状を保持するエラストマーからなる形状保持層と、
前記織布製基材テープの前記電線束に密着する側の面部に設けられた粘着剤層と、を有する、ことを特徴とする電線結束用テープ。
【請求項３】
前記折り目部は、前記織布製基材テープの幅方向に屈曲した波形状に構成されていることを特徴とする請求項１または２に記載の電線結束用テープ。
【請求項４】
前記折り目部は、前記織布製基材テープの長手方向に直線的に延びる縦通部と、前記縦通部に連なって前記織布製基材テープの一縁部に向けて延びる複数の横通部と、で構成されていることを特徴とする請求項１または２に記載の電線結束用テープ。
【請求項５】
前記折り目部は、前記織布製基材テープの幅方向半部に形成されていることを特徴とする請求項１ないし請求項４のいずれか１つの請求項に記載の電線結束用テープ。
【請求項６】
複数の被覆電線からなる電線束と、請求項１ないし請求項５のいずれか１つの請求項に記載の電線結束用テープと、を備え、
前記電線束に前記電線結束用テープをハーフラップ巻きさせたことを特徴とするワイヤハーネス。
【発明の詳細な説明】
【技術分野】
【０００１】
本発明は、電線束結束用テープおよびワイヤハーネスに関する。
【０００２】
従来、図９に示すように、自動車に配索されるワイヤハーネス５１は、複数の被覆電線５２ａの配索方向所定個所をテープ固定部５２ｂにより束ねた電線束５２の外周部に、ポリ塩化ビニル等の樹脂材料を基材とする粘着テープ６１をハーフラップ巻きさせることにより、複数の被覆電線５２ｂを一体に結束固定させていた。
【０００３】
このワイヤハーネス５１は、粘着テープ６１の基材の剛性に起因して、電線束５２の曲げ個所で電線束５２にハーフラップ巻きされている粘着テープ６１の伸びが不十分になり、粘着テープ６１がずれて被覆電線５２ａが露出してしまうことがあった。
【０００４】
そこで、特許文献１に開示されているように、樹脂成形品からなるテープ本体の一面側を粘着剤塗布面とし、粘着剤塗布面を窪ませて反対方向に山形状に突出させる突条部をテープ本体長さ方向に連続させた電線結束用テープが提案されている。この電線結束用テープを電線束にハーフラップ巻きさせると、電線束の曲げ個所で山形状の突条部が広がるように弾性変形してテープ本体の伸びが確保され、被覆電線の露出が防止される。
【先行技術文献】
【特許文献】
【０００５】
【特許文献１】特開２０１０−１２６６４８号公報
【発明の概要】
【発明が解決しようとする課題】
【０００６】
しかしながら、特許文献１の電線結束用テープは、樹脂成形品からなるテープ本体を用いているため、電線束の外周部をハーフラップ巻きするテープ本体の内側で電線束に生じた結露等の水がワイヤハーネスの外部へ排出されず、例えば中間スプライス部で漏電が生じるという問題があった。
【０００７】
本発明は、上述した問題に鑑みてなされたもので、電線束の外周部をハーフラップ巻きする電線結束用テープの内側で電線束に生じた結露や外部から一時侵入する水を外部へ容易に排出させることができ、かつ電線束の曲げ個所での被覆電線の露出を防止することができる電線結束用テープおよびワイヤハーネスを提供することを目的としている。
【課題を解決するための手段】
【０００８】
本発明に係る電線結束用テープは、上記課題を解決するため、電線束の外周部をハーフラップ巻きする織布製基材テープと、前記織布製基材テープの長手方向に延設され、前記電線束に密着する側の面部と反対側の面部側が窪むとともに反対の面部側が突出する断面Ｖ字形状の折り目部と、前記折り目部の前記一面側の窪み面に薄膜状に設けられ、前記断面Ｖ字形状を保持するエラストマーからなる形状保持層と、前記織布製基材テープの前記電線束に密着する側の面部に設けられた粘着剤層と、を有する構成である。
【０００９】
本発明に係る他の電線結束用テープは、電線束の外周部をハーフラップ巻きする織布製基材テープと、前記織布製基材テープの長手方向に延設され、前記電線束に密着する側の面部が窪むとともに反対の面部側が突出する断面Ｖ字形状の折り目部と、前記折り目部の前記一面側の窪み面に薄膜状に設けられ、前記断面Ｖ字形状を保持するエラストマーからなる形状保持層と、前記織布製基材テープの前記電線束に密着する側の面部に設けられた粘着剤層と、を有する構成である。
【００１０】
本発明に係る上記２つの電線結束用テープは、いずれも、電線束の外周部をハーフラップ巻きする織布製基材テープの内側で電線束に生じた結露や外部から一時侵入する水が織布製基材テープを透過して外部へ容易に排出されるため、被覆電線の中間スプライス部等で漏電が生じることがない。
【００１１】
また、本発明に係る上記２つの電線結束用テープは、いずれも、形状保持層により折り目部の断面Ｖ字形状が保持され、電線束の曲げ個所では断面Ｖ字形状の角度が広がるように形状保持層が弾性変形してテープの伸び代が確保されるため、テープがずれることがなく、被覆電線の露出を防止することができる。
【００１２】
本発明に係る上記２つの電線結束用テープのうち、折り目部の凸部を電線束の外周部面に向けて、織布製基材テープを電線束に巻き付ける構成によれば、折り目部が電線束の外周部面を押圧するため、電線束に対するテープのずれを抑制することができ、また、折り目部の凹部を電線束の外周部面に向けて、織布製基材テープを電線束に巻き付ける構成によれば、折り目部の凸部が電線束の外周部と反対側を向くため、テープハーフラップ巻きによる電線束の外装構造を維持しつつ、電線束に対する応力が緩和され、被覆電線の金属疲労を低減することができる。
【００１３】
本発明に係る電線結束用テープは、前記折り目部を、前記織布製基材テープの幅方向に屈曲した波形状に構成することができる。
【００１４】
この構成よれば、本発明に係る電線結束用テープは、織布製基材テープの幅方向に屈曲した波形状に構成させた折り目部が、電線束の曲げ個所では断面Ｖ字形状の角度が広がるように形状保持層が弾性変形してテープの伸び代が確保されるため、テープがずれることがなく、被覆電線の露出を防止することができる。
【００１５】
本発明に係る電線結束用テープは、前記折り目部を、前記織布製基材テープの長手方向に直線的に延びる縦通部と、前記縦通部に連なって前記織布製基材テープの一縁部に向けて延びる複数の横通部と、で構成することができる。
【００１６】
この構成によれば、本発明に係る電線結束用テープは、織布製基材テープの長手方向に直線的に延びる縦通部と、縦通部に連なって織布製基材テープの一縁部に向けて延びる複数の横通部とで構成させた折り目部が、電線束の曲げ個所では断面Ｖ字形状の角度が広がるように形状保持層が弾性変形してテープの伸び代が確保されるため、テープがずれることがなく、被覆電線の露出を防止することができる。
【００１７】
本発明に係る電線結束用テープは、前記折り目部が、前記織布製基材テープの幅方向半部に形成されていることが好ましい。
【００１８】
この構成によれば、本発明に係る電線結束用テープは、織布製基材テープの幅方向半部に折り目部が形成されているため、織布製基材テープにおいて折り目部が形成されている範囲と折り目部が形成されていない範囲とが重なるように、織布製基材テープを電線束に巻き付けると、電線結束用テープを確実にハーフラップ巻きさせることができる。
【００１９】
本発明に係るワイヤハーネスは、複数の被覆電線からなる電線束と、上述の電線結束用テープと、を備え、前記電線束に前記電線結束用テープをハーフラップ巻きさせた構成である。
【００２０】
この構成によれば、本発明に係るワイヤハーネスは、電線束の外周部をハーフラップ巻きする織布製基材テープの内側で電線束に生じた結露や外部から一時侵入する水が織布製基材テープを透過して外部へ容易に排出されるため、被覆電線の中間スプライス部等で漏電が生じることがない。
【００２１】
また、本発明に係るワイヤハーネスは、形状保持層により折り目部の断面Ｖ字形状が保持され、電線束の曲げ個所では断面Ｖ字形状の角度が広がるように形状保持層が弾性変形してテープの伸び代が確保されるため、テープの伸びが確保されるため、テープがずれることがなく、被覆電線の露出を防止することができる。
【発明の効果】
【００２２】
本発明によれば、電線束の外周部をハーフラップ巻きする電線結束用テープの内側で電線束に生じた結露や外部から一時侵入する水が織布製基材テープを透過して外部へ容易に排出させることができ、かつ電線束の曲げ個所での被覆電線の露出を防止することができる電線結束用テープおよびワイヤハーネスを提供することができる。
【図面の簡単な説明】
【００２３】
【図１】本発明の第１の実施の形態に係る電線結束用テープを用いたワイヤハーネスを示すもので、（ａ）は側面図、（ｂ）は横断面図である。
【図２】図１に示すワイヤハーネスの縦断面図である。
【図３】本発明の第１の実施の形態に係る電線結束用テープを示すもので、（ａ）は部分平面図、（ｂ）は図３（ａ）の３Ｂ−３Ｂ方向視図、（ｃ）は図３（ａ）の３Ｃ−３Ｃ方向視図である。
【図４】本発明の第２の実施の形態に係る電線結束用テープを用いたワイヤハーネスを示すもので、（ａ）は側面図、（ｂ）は横断面図である。
【図５】図４に示すワイヤハーネスの縦断面図である。
【図６】本発明の第２の実施の形態に係る電線結束用テープを示すもので、（ａ）は部分平面図、（ｂ）は図６（ａ）の６Ｂ−６Ｂ方向視図、（ｃ）は図６（ａ）の６Ｃ−６Ｃ方向視図である。
【図７】本発明の第３の実施の形態に係る電線結束用テープを示すもので、（ａ）は部分平面図、（ｂ）は図７（ａ）の７Ｂ−７Ｂ方向視図、（ｃ）は図７（ａ）の７Ｃ−７Ｃ方向視図である。
【図８】本発明の第４の実施の形態に係る電線結束用テープを示すもので、（ａ）は部分平面図、（ｂ）は図８（ａ）の８Ｂ−８Ｂ方向視図、（ｃ）は図８（ａ）の８Ｃ−８Ｃ方向視図である。
【図９】自動車に配索されるワイヤハーネスの作成手順を示すもので、（ａ）は電線束の側面図。（ｂ）は電線束に粘着テープをハーフラップ巻きしたワイヤハーネスの側面図、（ｃ）はワイヤハーネスを曲げた状態の斜視図である。
【発明を実施するための形態】
【００２４】
以下、本発明の実施の形態に係る電線結束用テープおよびワイヤハーネスについて図面を参照して説明する。
【００２５】
［第１の実施の形態］
図１、図２に示すように、ワイヤハーネス１は、複数の被覆電線２ａの配索方向所定個所をテープ固定部２ｂにより束ねられた電線束２と、電線束２の外周部をハーフラップ巻きされ、複数の被覆電線２ａを結束している電線結束用テープ１１と、を備えている。
【００２６】
電線結束用テープ１１は、電線束２の外周部をハーフラップ巻きする織布製基材テープ１２と、織布製基材テープ１２の長手方向に延設され、電線束２に密着する側の面部と反対側の面部側が窪むとともに反対の面部側が突出する断面Ｖ字形状の折り目部１３と、折り目部１３の一面側の窪み面に薄膜状に設けられ、断面Ｖ字形状を保持するエラストマーからなる形状保持層１５と、織布製基材テープ１２の電線束２に密着する側の面部に設けられた粘着剤層１４と、を有する。
【００２７】
織布製基材テープ１２は、ポリ塩化ビニルまたはポリエチレン等の樹脂材料によりなる面状繊維をテープ状に切断して形成されたものである。織布製基材テープ１２は、液体および気体が容易に透過される透過性を有している。この透過性は、一般的な粘着テープの基材として用いられる樹脂シートには有しない特性である。
【００２８】
折り目部１３は、織布製基材テープ１２の反電線束側から電線束側に向けて窪む凹部１３ａおよびこれと反対側（電線束側）より突き出す凸部１３ｂを有する断面Ｖ字形状に長手方向に延設されている。
【００２９】
図３に示すように、折り目部１３は、織布製基材テープ１２の半幅の範囲、すなわち織布製基材テープ１２の幅方向半部に形成されており、織布製基材テープ１２の幅方向に屈曲した波形状に構成されている。
【００３０】
粘着剤層１４は、アクリル樹脂系粘着剤またはブチルゴム系粘着剤よりなり、織布製基材テープ１２の電線束側の面部に形成されている。
【００３１】
形状保持層１５は、凹部１３ａにシリコーン樹脂等のエラストマーを薄膜状に積層したものであり、織布製基材テープ１２に張力が作用していないときには、折り目部１３の形状を保持し、電線束２の曲げ個所等において織布製基材テープ１２に張力が作用したときには、折り目部１３が広がる状態に弾性変形するようになっている。
【００３２】
電線結束用テープ１１は、折り目部１３の凸部１３ｂが電線束２の外周部に相対するように電線束２にハーフラップ巻きされ、粘着剤層１４によって織布製基材テープ１２と電線束２とが固定されるとともに、織布製基材テープ１２のラップ部分が互いに固定され、複数の被覆電線２ａを一体に結束固定させる。
【００３３】
本実施の形態に係る電線結束用テープ１１は、電線束２の外周部をハーフラップ巻きする織布製基材テープ１２の内側で電線束２に生じた結露や外部から一時侵入する水が織布製基材テープ１２を透過して外部へ容易に排出されるため、被覆電線２ａの中間スプライス部等で漏電が生じることがない。
【００３４】
本実施の形態に係る電線結束用テープ１１は、凹部１３ａに設けた形状保持層１５により折り目部１３の断面Ｖ字形状が保持され、電線束２の曲げ個所では折り目部１３の断面Ｖ字形状の角度が広がるように形状保持層１５が弾性変形してテープの伸び代が確保され、折り目部１３の凸部１３ｂが電線束２の外周部面を押圧するため、テープがずれることがなく、被覆電線２ａの露出を防止することができる。
【００３５】
本実施の形態に係る電線結束用テープ１１は、織布製基材テープ１２の幅方向半部に折り目部１３が形成されているため、織布製基材テープ１２において折り目部１３が形成されている範囲と折り目部１３が形成されていない範囲とが重なるように、織布製基材テープ１２を電線束２に巻き付けると、電線結束用テープ１１を確実にハーフラップ巻きさせることができる。
【００３６】
［第２の実施の形態］
図４、図５に示すように、ワイヤハーネス１Ａは、電線束２と、電線結束用テープ２１とを備えている。電線束２は、前述したものと同様に構成されている。電線結束用テープ２１は、電線束２の外周部をハーフラップ巻きされ、複数の被覆電線２ａを一体に結束固定させている。
【００３７】
電線結束用テープ２１は、電線束２の外周部をハーフラップ巻きする織布製基材テープ２２と、織布製基材テープ２２の長手方向に延設され、電線束２に密着する側の面部側が窪むとともに反対の面部側が突出する断面Ｖ字形状の折り目部２３と、折り目部２３の一面側の窪み面に薄膜状に設けられ、断面Ｖ字形状を保持するエラストマーからなる形状保持層２５と、織布製基材テープ１２の電線束２に密着する面部側に設けられた粘着剤層２４と、を有する。
【００３８】
織布製基材テープ２２は、ポリ塩化ビニルまたはポリエチレン等の樹脂材料によりなる面状繊維をテープ状に切断して形成されたものである。織布製基材テープ２２は、液体および気体が容易に透過される透過性を有している。この透過性は、一般的な粘着テープの基材として用いられる樹脂シートには有しない特性である。
【００３９】
折り目部２３は、織布製基材テープ２２の電線束側から反電線束側に向けて窪む凹部２３ａおよびこれと反対側（反電線束側）より突き出す凸部２３ｂを有する断面Ｖ字形状に長手方向に延設されている。
【００４０】
図６に示すように、折り目部２３は、織布製基材テープ２２の半幅の範囲、すなわち織布製基材テープ２２の幅方向半部に形成されており、織布製基材テープ２２の幅方向に屈曲した波形状に構成されている。
【００４１】
粘着剤層２４は、アクリル樹脂系粘着剤またはブチルゴム系粘着剤よりなり、織布製基材テープ２２の電線束側の面部に形成されている。
【００４２】
形状保持層２５は、凹部２３ａにシリコーン樹脂等のエラストマーを薄膜状に積層したものであり、織布製基材テープ２２に張力が作用していないときには、折り目部２３の形状を保持し、電線束２の曲げ個所等において織布製基材テープ２２に張力が作用したときには、折り目部２３が広がる状態に弾性変形するようになっている。
【００４３】
電線結束用テープ２１は、折り目部２３の凹部２３ａが電線束２の外周部に相対するように電線束２にハーフラップ巻きされ、粘着剤層２４によって織布製基材テープ２２と電線束２とが固定されるとともに、織布製基材テープ２２のラップ部分が互いに固定され、複数の被覆電線２ａを一体に結束固定させる。
【００４４】
本実施の形態に係る電線結束用テープ２１は、電線束２の外周部をハーフラップ巻きする織布製基材テープ２２の内側で電線束２に生じた結露や外部から一時侵入する水が織布製基材テープ２２を透過して外部へ容易に排出されるため、被覆電線２ａの中間スプライス部等で漏電が生じることがない。
【００４５】
本実施の形態に係る電線結束用テープ２１は、凹部２３ａに設けた形状保持層２５により折り目部２３の断面Ｖ字形状が保持され、電線束２の曲げ個所では折り目部２３の断面Ｖ字形状の角度が広がるように形状保持層２５が弾性変形してテープの伸び代が確保されるため、テープがずれることがなく、被覆電線２ａの露出を防止することができる。
【００４６】
本実施の形態に係る電線結束用テープ２１は、折り目部２３の凸部２３ｂが電線束２の外周部と反対側を向くため、テープハーフラップ巻きによる電線束２の外装構造を維持しつつ、電線束２に対する応力が緩和され、被覆電線２ａの金属疲労を低減することができる。
【００４７】
本実施の形態に係る電線結束用テープ２１は、織布製基材テープ２２の幅方向半部に折り目部２３が形成されているため、織布製基材テープ２２において折り目部２３が形成されている範囲と折り目部２３が形成されていない範囲とが重なるように、織布製基材テープ２２を電線束２に巻き付けると、電線結束用テープ２１を確実にハーフラップ巻きさせることができる。
【００４８】
［第３の実施の形態］
図７に示すように、電線結束用テープ３１は、図示されない電線束の外周部をハーフラップ巻きする織布製基材テープ３２と、織布製基材テープ３２の長手方向に延設され、電線束に密着する側の面部と反対側の面部側が窪むとともに反対の面部側が突出する断面Ｖ字形状の折り目部３３と、折り目部３３の一面側の窪み面に薄膜状に設けられ、断面Ｖ字形状を保持するエラストマーからなる形状保持層３５と、織布製基材テープ３２の電線束に密着する側の面部に設けられた粘着剤層３４と、を有する。
【００４９】
織布製基材テープ３２は、ポリ塩化ビニルまたはポリエチレン等の樹脂材料によりなる面状繊維をテープ状に切断して形成されたものである。織布製基材テープ３２は、液体および気体が容易に透過される透過性を有している。この透過性は、一般的な粘着テープの基材として用いられる樹脂シートには有しない特性である。
【００５０】
折り目部３３は、織布製基材テープ３２の反電線束側から電線束側に向けて窪む凹部３３ａおよびこれと反対側（電線束側）より突き出す凸部３３ｂを有する断面Ｖ字形状に長手方向に延設されている。
【００５１】
折り目部３３は、織布製基材テープ３２の半幅の範囲、すなわち織布製基材テープ３２の幅方向半部に形成されており、織布製基材テープ３２の長手方向に直線的に延びる縦通部３３−１と、縦通部３３−１に連なって織布製基材テープ３２の一縁部に向けて延びる複数の横通部３３−２とで構成されている。
【００５２】
粘着剤層３４は、アクリル樹脂系粘着剤またはブチルゴム系粘着剤よりなり、織布製基材テープ３２の電線束側の面部に形成されている。
【００５３】
形状保持層３５は、凹部３３ａにシリコーン樹脂等のエラストマーを薄膜状に積層したものであり、織布製基材テープ３２に張力が作用していないときには、折り目部３３の形状を保持し、電線束２の曲げ個所等において織布製基材テープ３２に張力が作用したときには、折り目部３３が広がる状態に弾性変形するようになっている。
【００５４】
電線結束用テープ３１は、折り目部３３の凸部３３ｂが図示されない電線束の外周部に相対するように電線束にハーフラップ巻きされ、粘着剤層３４によって織布製基材テープ３２と電線束とが固定されるとともに、織布製基材テープ３２のラップ部分が互いに固定され、複数の被覆電線を一体に結束固定させる。
【００５５】
本実施の形態に係る電線結束用テープ３１は、電線束の外周部をハーフラップ巻きする織布製基材テープ３２の内側で電線束２に生じた結露や外部から一時侵入する水が織布製基材テープ３２を透過して外部へ容易に排出されるため、被覆電線の中間スプライス部等で漏電が生じることがない。
【００５６】
本実施の形態に係る電線結束用テープ３１は、凹部３３ａに設けた形状保持層３５により折り目部３３の断面Ｖ字形状が保持され、電線束の曲げ個所では折り目部３３の断面Ｖ字形状の角度が広がるように形状保持層３５が弾性変形してテープの伸び代が確保され、折り目部３３の凸部３３ｂが電線束の外周部面を押圧するため、テープがずれることがなく、被覆電線の露出を防止することができる。
【００５７】
本実施の形態に係る電線結束用テープ３１は、織布製基材テープ３２の幅方向半部に折り目部３３が形成されているため、織布製基材テープ３２において折り目部３３が形成されている範囲と折り目部３３が形成されていない範囲とが重なるように、織布製基材テープ３２を電線束に巻き付けると、電線結束用テープ３１を確実にハーフラップ巻きさせることができる。
【００５８】
［第４の実施の形態］
図８に示すように、電線結束用テープ４１は、図示されない電線束の外周部をハーフラップ巻きする織布製基材テープ４２と、織布製基材テープ４２の長手方向に延設され、電線束に密着する側の面部が窪むとともに反対の面部側が突出する断面Ｖ字形状の折り目部４３と、折り目部４３の一面側の窪み面に薄膜状に設けられ、断面Ｖ字形状を保持するエラストマーからなる形状保持層４５と、織布製基材テープ４２の電線束に密着する側の面部に設けられた粘着剤層４４と、を有する。
【００５９】
織布製基材テープ４２は、ポリ塩化ビニルまたはポリエチレン等の樹脂材料によりなる面状繊維をテープ状に切断して形成されたものである。織布製基材テープ４２は、液体および気体が容易に透過される透過性を有している。この透過性は、一般的な粘着テープの基材として用いられる樹脂シートには有しない特性である。
【００６０】
折り目部４３は、織布製基材テープ４２の電線束側から反電線束側に向けて窪む凹部４３ａおよびこれと反対側（反電線束側）より突き出す凸部４３ｂを有する断面Ｖ字形状に長手方向に延設されている。
【００６１】
折り目部４３は、織布製基材テープ４２の半幅の範囲、すなわち織布製基材テープ４２の幅方向半部に形成されており、織布製基材テープ４２の長手方向に直線的に延びる縦通部４３−１と、縦通部４３−１に連なって織布製基材テープ４２の一縁部に向けて延びる複数の横通部４３−２とで構成されている。
【００６２】
粘着剤層４４は、アクリル樹脂系粘着剤またはブチルゴム系粘着剤よりなり、織布製基材テープ３２の電線束側の面部に形成されている。
【００６３】
形状保持層４５は、凹部４３ａにシリコーン樹脂等のエラストマーを薄膜状に積層したものであり、織布製基材テープ４２に張力が作用していないときには、折り目部４３の形状を保持し、電線束の曲げ個所等において織布製基材テープ４２に張力が作用したときには、折り目部４３が広がる状態に弾性変形するようになっている。
【００６４】
電線結束用テープ４１は、折り目部４３の凹部４３ａが図示されない電線束の外周部に相対するように電線束にハーフラップ巻きされ、粘着剤層４４によって織布製基材テープ４２と電線束とが固定されるとともに、織布製基材テープ４２のラップ部分が互いに固定され、複数の被覆電線を一体に結束固定させる。
【００６５】
本実施の形態に係る電線結束用テープ４１は、電線束の外周部をハーフラップ巻きする織布製基材テープ４２の内側で電線束に生じた結露や外部から一時侵入する水が織布製基材テープ４２を透過して外部へ容易に排出されるため、被覆電線の中間スプライス部等で漏電が生じることがない。
【００６６】
本実施の形態に係る電線結束用テープ４１は、凹部４３ａに設けた形状保持層４５により折り目部４３の断面Ｖ字形状が保持され、電線束の曲げ個所では折り目部４３の断面Ｖ字形状が広がるように形状保持層４５が弾性変形してテープの伸び代が確保されるため、テープがずれることがなく、被覆電線の露出を防止することができる。
【００６７】
本実施の形態に係る電線結束用テープ４１は、折り目部４３の凸部４３ｂが電線束の外周部と反対側を向くため、テープハーフラップ巻きによる電線束の外装構造を維持しつつ、電線束に対する応力が緩和され、被覆電線の金属疲労を低減することができる。
【００６８】
本実施の形態に係る電線結束用テープ４１は、織布製基材テープ４２の幅方向半部に折り目部４３が形成されているため、織布製基材テープ４２において折り目部４３が形成されている範囲と折り目部４３が形成されていない範囲とが重なるように、織布製基材テープ４２を電線束に巻き付けると、電線結束用テープ４１を確実にハーフラップ巻きさせることができる。
【００６９】
以上説明したように、本発明の電線結束用テープおよびワイヤハーネスは、電線束の外周部をハーフラップ巻きする電線結束用テープの内側で電線束に生じた結露や外部から一時侵入する水が織布製基材テープを透過して外部へ容易に排出させることができ、かつ電線束の曲げ個所での被覆電線の露出を防止することができるという効果を有し、電線結束用テープおよびワイヤハーネス全般に有用である。
【符号の説明】
【００７０】
１，１Ａ  ワイヤハーネス
２  電線束
１１，２１，３１，４１  電線結束用テープ
１２，２２，３２，４２  織布製基材テープ
１３，２３，３３，４３  折り目部
１３ａ，２３ａ，３３ａ，４３ａ  凹部(窪み面)
１４，２４，３４，４４  粘着剤層
１５，２５，３５，４５  形状保持層
３３−１，４３−１  縦通部
３３−２，４３−２  横通部
【図１】
2017168199.tif 000003
【図２】
2017168199.tif 000004
【図３】
2017168199.tif 000005
【図４】
2017168199.tif 000006
【図５】
2017168199.tif 000007
【図６】
2017168199.tif 000008
【図７】
2017168199.tif 000009
【図８】
2017168199.tif 000010
【図９】
2017168199.tif 000011